(57)【要約】【課題】固形断熱材の取付けが簡単で断熱性能が高く、しかも断熱材が落下することのない蓋体を取付け取外し自在とされた断熱型床下収納庫を提供する。【解決手段】収納ボックス１に蓋体本体２の背面３に箱状の断熱材入りのカバー体４を固着した開閉用の蓋体５を取付け取外し自在とされたものであって、カバー体４の底部６に固形断熱材７と繊維状断熱材８とを積層して蓋体本体２の背面３に固着して形成するものである。蓋体５のカバー体４の底部６に発泡ウレタン樹脂、発泡フェノール樹脂等の発泡樹脂ボードからなる固形断熱材７を固着し、この固形断熱材７の上にロックウール、グラスウール等に樹脂等のバインダー（結合材）を混練した繊維状断熱材８を吹付けカバー体４の底部６の隅部９の隙間まで侵入して完全に隙間なく固着する。【選択図】        図２
2004293041.tif 000002
【特許請求の範囲】
【請求項１】
収納ボックスに蓋体本体の背面に箱状の断熱材入りのカバー体を固着した開閉用の蓋体を取付け取外し自在とされた床下収納庫であって、カバー体の底部に固形断熱材と繊維状断熱材とを積層して蓋体本体の背面に固着することを特徴とする断熱型床下収納庫。
【請求項２】
上記カバー体の底部に固形断熱材を固着し、該固形断熱材上に繊維状断熱材を吹付け固着することを特徴とする請求項１記載の断熱型床下収納庫。
【請求項３】
上記カバー体の底部の隅部に固形断熱材の切欠部が挿入される挿着リブを立設することを特徴とする請求項１又は請求項２記載の断熱型床下収納庫。
【請求項４】
上記挿着リブの上面がカバー体の中心方向の内方に傾斜する傾斜面を設けたことを特徴とする請求項３記載の断熱型床下収納庫。
【請求項５】
上記固形断熱材が発泡ウレタン樹脂、発泡フェノール樹脂等の発泡樹脂ボードであることを特徴とする請求項１乃至請求項３のいずれかに記載の断熱型床下収納庫。
【請求項６】
上記繊維状断熱材がロックウール、グラスウール等の吹付け材料であることを特徴とする請求項１又は請求項２記載の断熱型床下収納庫。
【発明の詳細な説明】
【０００１】
【発明の属する技術分野】
本発明は、断熱型床下収納庫に関し、開閉用の蓋体の取付け取外しが容易であって、取外し時や製造・保管時の蓋体の安定した取扱い、あるいは保管が可能であり、強度や断熱機密性能が良好な蓋体が実現でき、その組立て製造も容易とされる、改善された新しい断熱型床下収納庫に関するものである。
【０００２】
【従来の技術】
従来、図８に例示したように、床下空間を有効に利用して、食品や調味料等を保存収納することができるようにした床下収納庫が知られている。また、この床下収納庫については、床面と面一になるようにした蓋体２０が取付け取外し自在とされ、この蓋体２０によって開閉状態となる収納ボックス２１が備えられるとともに、断熱性を高めるためにグラスウール、ロックウール、発泡樹脂製等の板状の断熱材２２が蓋体２０に固着したものが知られている。
【０００３】
しかしながら、このような蓋体２０の裏面側に断熱材２２を固着する場合に、蓋体２０の裏面側隅部と断熱材２２との間に隙間２３が生じ蓋体２０の断熱性能を損なうという問題があった。（例えば特許文献１）
【０００４】
【特許文献１】
実開昭６１−２０１４３７号公報（第１頁、図１）
【０００５】
このように断熱材２２を蓋体２０に一体化配設した床下収納庫の場合には、開閉操作がより簡単なものになる。しかしながら、簡単な開閉操作が可能とされた断熱材一体型の蓋体ではあるが、カバー体で覆っての断熱材一体化にともなう改善すべき課題が残されていた。
【０００６】
すなわち、ボード上の断熱材２２を取付ける場合に比較的剛性の高い蓋体２０との間に隙間２３が生じ、断熱性能を損ないやすくなり、断熱材２２の厚さを増すと収納ボックス２１の収納スペースが少なくなるという問題があった。
【０００７】
また、ロックウール、グラスウール、樹脂繊維等の綿状断熱材を用いた場合には、開閉操作の繰返しによって、蓋体２０に収納した断熱材２２の位置に偏在が生じることがあり、断熱性能が低下するという問題があった。
【０００８】
【発明が解決しようとする課題】
本発明は上記問題点の解決を目的とするものであり、固形断熱材の取付けが簡単で断熱性能が高く、しかも断熱材が落下することのない蓋体を取付け取外し自在とされた断熱型床下収納庫を提供するものである。
【０００９】
【課題を解決するための手段】
本発明の請求項１記載の断熱型床下収納庫は、収納ボックスに蓋体本体の背面に箱状の断熱材入りのカバー体を固着した開閉用の蓋体を取付け取外し自在とされた床下収納庫であって、カバー体の底部に固形断熱材と繊維状断熱材とを積層して蓋体本体の背面に固着することを特徴とするものである。
【００１０】
したがって、カバー体を固着した蓋体のカバー体の底部に固形断熱材と繊維状断熱材とを積層することで、固形断熱材の取付けが簡単で断熱性能が高く、しかも断熱材が落下することのない蓋体を取付け取外し自在にできる。
【００１１】
本発明の請求項２記載の断熱型床下収納庫は、請求項１記載のカバー体の底部に固形断熱材を固着し、この固形断熱材上に繊維状断熱材を吹付け固着することを特徴とするものである。
【００１２】
したがって、カバー体の底部に固形断熱材が配置され、この固形断熱材上に繊維状断熱材を吹付け固着することにより、固形断熱材の隙間を繊維状断熱材の吹付けにより固定されるので、断熱性能が向上する。さらに、蓋体の厚さを薄く形成できるので、収納ボックスの収納スペースが増大する。
【００１３】
本発明の請求項３記載の断熱型床下収納庫は、請求項１又は請求項２記載のカバー体の底部の隅部に固形断熱材の切欠部が挿入される挿着リブを立設することを特徴とするものである。
【００１４】
したがって、固形断熱材は、カバー体の底部の挿着リブに仮固定されるので、繊維状断熱材をこの固形断熱材上に吹付けても脱落することもなく吹付け作業が確実且つ簡便となる。
【００１５】
本発明の請求項４記載の断熱型床下収納庫は、請求項３記載の挿着リブの上面がカバー体の中心方向の内方に傾斜する傾斜面を設けたことを特徴とするものである。
【００１６】
したがって、カバー体の底部の挿着リブに固形断熱材の切欠部を挿入しやすいので取付作業がしやすいものである。
【００１７】
本発明の請求項５記載の断熱型床下収納庫は、請求項１乃至請求項３のいずれかに記載の固形断熱材が発泡ウレタン樹脂、発泡フェノール樹脂等の発泡樹脂ボードであることを特徴とする。
【００１８】
したがって、これらの樹脂は、板状で断熱性能が高いものである。
【００１９】
本発明の請求項６記載の断熱型床下収納庫は、請求項１又は請求項２記載の繊維状断熱材がロックウール、グラスウール等の吹付け材料であることを特徴とする。
【００２０】
したがって、これらの繊維状断熱材は、バインダーによって固形断熱材表面や隅部の隙間に入り固着され、二重断熱材として断熱性能が高いものである。
【００２１】
【発明の実施の形態】
図１乃至図７に示したように、本発明の一実施形態に係わる断熱型床下収納庫であって、図１は、断熱型床下収納庫の要部の縦断面図であり、図２は、蓋体の分解斜視図であり、図３は、本発明の一実施例に係わる断熱型床下収納庫の要部の縦断面図である。図４乃至図６は、カバー体の底部に固形断熱材の切欠部が挿入される挿着リブを立設するものである。図７は、二重断熱された蓋体の動作状態を示す図である。
【００２２】
図１に示したように、本発明の断熱型床下収納庫Ａは、箱状の収納ボックス１に蓋体本体２の背面３に箱状の断熱材入りのカバー体４を固着した開閉用の蓋体５を取付け取外し自在とされたものであって、カバー体４の底部６に固形断熱材７と繊維状断熱材８とを積層して蓋体本体２の背面３に固着して形成するものである。
【００２３】
このとき、図２に示したように蓋体５のカバー体４の底部６に発泡ウレタン樹脂、発泡フェノール樹脂等の発泡樹脂ボードからなる固形断熱材７を固着し、この固形断熱材７の上にロックウール、グラスウール等に樹脂等のバインダー（結合材）を混練した繊維状断熱材８を吹付けカバー体４の底部６の隅部９の隙間まで侵入して完全に隙間なく固着するようにしている。
【００２４】
その後、このカバー体４の四周の鍔部１０をビス１１で蓋体本体２の背面３に固着される。
【００２５】
このように固形断熱材７と繊維状断熱材８とを用いて断熱性能を保持しようとするのは、固形断熱材７だけで断熱性能を向上させようとすると板厚が厚くなり、収納ボックス１内の収納スペースが少なくなるからである。また、綿状の断熱繊維を用いた場合には、食品や調味料等の出し入れのために蓋体５が取付け取外し自在とされているので、断熱繊維が偏在しないように断熱材を固定しなければならない手間が必要となり、本発明のような繊維状断熱材８の吹付け作業で接着効果により簡便に固定できる固着手段が用いられている。
【００２６】
また、図３に示したように、箱状の収納ボックス１は、枠材１２の内側面に設けられた桟木１３にフランジ部１４が載置され、この収納ボックス１のフランジ部１４が桟木１３に固着されている。このとき断熱材入りのカバー体４を固着した開閉用の蓋体５の背面に固着された断熱層は、下層に発泡ウレタン樹脂、発泡フェノール樹脂等の発泡樹脂ボードからなる固形断熱材７が固着され、上層にロックウール、グラスウール等に樹脂等のバインダーを混練した繊維状断熱材８が吹付けによって固着されているので、固形断熱材７の取付けが簡単で断熱性能が高くなり、しかも蓋体５の開閉時にも断熱材が落下することもない。したがって、この蓋体５に固着された固形断熱材７及び繊維状断熱材８は、長期に亘り断熱性能を維持することができる。さらに、蓋体の厚さを薄く形成できるので、収納スペースが増大させることが可能となる。
尚、収納ボックス１内にかご体１８を設けても良い。また、バインダーはフェノール樹脂やエポキシ樹脂等の樹脂製の接着剤が適宜用いられる。
【００２７】
さらに、図４乃至図６に示したように、固形断熱材７を簡単に製作するために合成樹脂製のカバー体４の底部６の隅部９に固形断熱材７の切欠部１５が挿入される挿着リブ１６が立設されているものである。この挿着リブ１６の上面がカバー体４の中心方向の内方に傾斜する傾斜面１７が設けられ、より固形断熱材７が挿入しやすい形状に加工されている。そのために、繊維状断熱材７をこの固形断熱材７上に吹付けても脱落することもなく吹付け作業が簡便にしかも確実にできるものである。
【００２８】
図７は、固形断熱材７及び繊維状断熱材８を内装した蓋体５を箱状の収納ボックス１の蓋としての開閉使用している状態であり、固形断熱材７を繊維状断熱材８で二重積層しているので、断熱材が従来のように収納した位置が偏在することもないので、断熱性能が低下することもない。
【００２９】
【発明の効果】
上述の如く、本発明の請求項１記載の断熱型床下収納庫は、収納ボックスに蓋体本体の背面に箱状の断熱材入りのカバー体を固着した開閉用の蓋体を取付け取外し自在とされた床下収納庫であって、カバー体の底部に固形断熱材と繊維状断熱材とを積層して蓋体本体の背面に固着しているので、カバー体を固着した蓋体のカバー体の底部に固形断熱材と繊維状断熱材とを積層することで、固形断熱材の取付けが簡単で断熱性能が高く、しかも断熱材が落下することのない蓋体を取付け取外し自在にできる。
【００３０】
本発明の請求項２記載の断熱型床下収納庫は、カバー体の底部に固形断熱材を固着し、この固形断熱材上に繊維状断熱材を吹付け固着しているので、固形断熱材の隙間を繊維状断熱材の吹付けにより固定されるので、断熱性能が向上する。さらに、蓋体の厚さを薄く形成できるので、収納ボックスの収納スペースが増大する。
【００３１】
本発明の請求項３記載の断熱型床下収納庫は、カバー体の底部の隅部に固形断熱材の切欠部が挿入される挿着リブを立設しているので、固形断熱材は、カバー体の底部の挿着リブに仮固定されるので、繊維状断熱材をこの固形断熱材上に吹付けても脱落することもなく吹付け作業が確実且つ簡便となる。
【００３２】
本発明の請求項４記載の断熱型床下収納庫は、挿着リブの上面にカバー体の中心方向の内方に傾斜する傾斜面を設けているので、カバー体の底部の挿着リブに固形断熱材の切欠部を挿入しやすくなり、取付作業がしやすいものである。
【００３３】
本発明の請求項５記載の断熱型床下収納庫は、固形断熱材が発泡ウレタン樹脂、発泡フェノール樹脂等の発泡樹脂ボードであるので、板状で断熱性能が高いものである。
【００３４】
本発明の請求項６記載の断熱型床下収納庫は、繊維状断熱材がロックウール、グラスウール等の吹付け材料であるので、繊維状断熱材は、バインダーによって固形断熱材表面や角部の隙間に入り固着され、二重断熱材として断熱性能が高いものである。
【図面の簡単な説明】
【図１】本発明の一実施形態に係わる断熱型床下収納庫に係わる要部の縦断面図である。
【図２】本発明の蓋体本体、断熱材及びカバー体とからなる蓋体の分解斜視図である。
【図３】本発明の一実施例に係わる断熱型床下収納庫に係わる要部の縦断面図である。
【図４】本発明の一実施例に係わる蓋体のカバー体を示す縦断面図である。
【図５】本発明の一実施例に係わる蓋体の固形断熱材を示す要部の斜視図である。
【図６】本発明の一実施例に係わる蓋体のカバー体の隅部を示す要部の拡大縦断面図である。
【図７】本発明の一実施例に係わる二重断熱された蓋体の動作状態を示す要部の縦断面図である。
【図８】従来の断熱型床下収納庫を示す縦断面図である。
【符号の説明】
Ａ      断熱型床下収納庫
１      収納ボックス
２      蓋体本体
３      背面
４      カバー体
５      蓋体
６      底部
７      固形断熱材
８      繊維状断熱材
９      隅部
１０    鍔部
１１    ビス
１２    枠材
１３    桟木
１４    フランジ部
１５    切欠部
１６    挿着リブ
１７    傾斜面
【図１】
2004293041.tif 000003
【図２】
2004293041.tif 000004
【図３】
2004293041.tif 000005
【図４】
2004293041.tif 000006
【図５】
2004293041.tif 000007
【図６】
2004293041.tif 000008
【図７】
2004293041.tif 000009
【図８】
2004293041.tif 000010